(57)【特許請求の範囲】
【請求項１】
液体を収納する容器本体（Ａ）の一方に点滴用チューブの接続口（Ｃ）を、他方に栓体（９）で密封される尻口部（Ｂ）を設け、その尻口部（Ｂ）に薬剤容器（Ｄ）の収納カプセル（１）を連結し、栓体（９）と薬剤容器（Ｄ）のシール（８）に混合刺針（７）が貫通し、液体と薬剤を外界から遮断状態で混合する輸液容器において、カプセル（１）の内周にキャップ（２）の降下案内溝（１５）を等間隔に列設する一方、薬剤容器（Ｄ）を下向きに密挿するキャップ（２）の外周に、カプセル（１）の上縁に係止し前記案内溝（１５）に挿入する縦突条（２５）を形成し、可動キャップ（２）が縦突条（２５）に沿って降下可能となり、収納カプセル（１）の下部に、混合刺針（７）を備えた支持体（３）の格納室（４）を形成してあり、格納室（４）の周壁の一部がヒンジ（１６）を介して開閉可能となる揺動壁（４ａ）によって構成され、収納カプセル（１）と混合刺針（７）の支持体（３）が、格納室（４）の内面に周設した内向突条（12）と、支持体（３）の外周面に形成した環状凹溝（32）により係合し、その係合が薬剤容器（Ｄ）のシール（８）に対する混合刺針（７）の貫通力に耐え、薬剤容器（Ｄ）の降下により解除され、支持体（３）に垂設した気密片（33）が、栓体（９）内に密挿することを特徴とする輸液容器。
【発明の詳細な説明】
【０００１】
【産業上の利用分野】
この発明は、液体と薬剤を混合して患者へ点滴注射する際に用いる輸液容器に関する。
【０００２】
【従来の技術】
患者に対する点滴注射の一手法として、近年、薬剤を収納する薬剤容器と、デキストローズ液や食塩水等の希釈剤、或いは薬剤の溶解液等の液体を収納する可撓性容器を直接結合した輸液容器が使用されるに至っている。この輸液容器の特徴は、薬剤と液体が使用直前まで混合が防止されること、混合するときには外気に触れず、衛生的な条件において混合されること、混合時に液体や薬剤の洩れがないこと等にある。
【０００３】
上記要件を備えた輸液容器として、図８に示すように可撓性容器本体Ａの尻口部に栓体５９を介して薬剤容器Ｄの収納カプセル５１を連結し、カプセル５１に外キャップ６１を回転可能に嵌着する。薬剤容器Ｄを押し下げる手段として、外キャップ６１の内面に下降傾斜するカム壁６２を列設し、その斜縁に沿って薬剤容器Ｄの上に嵌合するコ字形の押圧板６３を下降し得るようにする。また薬剤容器Ｄのシールに混合刺針５７が先行して貫通するよう、カプセル５１の下端部に制動装置６０が設けてある。（例えば特公平５−６６１４１号公報）
【０００４】
制動装置６０はコ字形の支持体５４に混合刺針５７を設け、支持体５４に先端が薬剤容器Ｄの首部ｄ１まで達する一対の支持腕６５を開閉脚可能に突設し、該支持腕６５の先に首部ｄ１に嵌まる膨出部６６を設け、外側にカプセル５１の段部５８に載置する係止爪６７を突設するもので、やや開脚する支持腕６５の膨出部６６で薬剤容器Ｄの口縁を下から支持し、薬剤容器Ｄの下降により開脚する。
【０００５】
【発明が解決しようとする課題】
従来の輸液容器は、外キャップを回転しながら降下し、薬剤容器を押し下げるものであるから、構造が非常に複雑で、しかも操作が非常に面倒であった。特に支持体と押圧板がコ字形であるので、混合刺針や薬剤容器の支持に安定性が得られないという問題があった。
この発明は、上記のような実情に鑑みて、薬剤容器を簡単な構造で容易に降下できて、しかも薬剤容器のシールと容器本体の栓体を混合刺針にて安定した状態で貫通し得るようにした輸液容器を提供することにある。
【０００６】
【課題を解決するための手段】
上記の目的を達成するために、本発明による輸液容器は、カプセルの内周に薬剤容器を収めたキャップの降下案内溝を並列する一方、カプセルに嵌挿する可動キャップの上部外周に、前記案内溝に挿入する縦突条を形成し、カプセルの下部に開閉可能な揺動壁を備えた格納室を設け、該格納室に混合刺針を備えた支持体を、格納室の内面に周設した内向突条と、支持体の外周面に周設した内向突条に係止する環状凹溝にて下降可能に嵌挿係止し、内向突条と環状凹溝の係止力を、薬剤容器のシールに対する混合刺針の貫通に耐え、薬剤容器の降下により解除するものである。
【０００７】
【作用】
可動キャップを回してその縦突条を収納カプセルの案内溝に合致させると、キャップは案内溝に沿って降下が可能となり、該キャップの降下により薬剤容器のシールに混合刺針が先ず貫通し、更なるキャップの降下により、混合刺針を備えた支持体が降下し、その混合刺針が容器本体の栓体密封膜に貫通する。
薬剤容器は、これら一連の動きにおいてもキャップ内に嵌着しているので、傾くことなく安定して降下する。
【０００８】
収納カプセル下部の格納室が、開閉可能な揺動壁を備えているため、格納室内に混合刺針を備えた支持体を簡単に格納し得る。しかも支持体は格納室内面に周設した内向突条と、支持体の外周面に周設した環状凹溝にて係止され、その係止力が薬剤容器のシールに対する混合刺針の貫通に耐え、薬剤容器の降下により解除するものであるから、混合刺針がシールと容器尻口部の栓体に順次貫通することができる。
【０００９】
【実施例】
本発明における輸液容器の基本構造を図１と図２に基づいて説明すれば、容器本体Ａの尻口部Ｂに収納カプセル１を連結し、該カプセル１内に薬剤容器Ｄを下向きに格納すると共に、薬剤容器Ｄを降下する可動キャップ２を嵌挿し、カプセル１の下部に混合刺針７を備えた支持体３の格納室４を設け、混合刺針７で薬剤容器Ｄのシール８と容器尻口部Ｂの栓体９を順次貫通し、薬剤容器Ｄに収納する薬剤と、容器本体Ａに収納する液体を外界から遮断状態で混合し、点滴注射し得るようにたもので、栓体９とシール８に対する混合刺針７の貫通、及び薬剤容器Ｄの降下手段に特徴を有するものである。
【００１０】
容器本体Ａは、例えば可撓性を有する軟質塩化ビニール樹脂やポリオレフィン樹脂より成形され、容器本体Ａの一方に点滴用チューブの接続口Ｃを、他方に尻口部Ｂを設け、尻口部Ｂの先に鍔状の口縁片ｂを突設し、尻口部Ｂに栓体９を密挿し、内部にデキストローズ液や食塩水等の希釈剤、或いは薬剤の溶解液等の液体を収納するものである。
薬剤容器Ｄはガラスや合成樹脂より成形され、内部に粉末薬剤や液状薬剤を収納し、口部ｄをシール８にて密封するものである。
【００１１】
容器本体Ａの尻口部Ｂに密挿する栓体９は、図３の如く容器尻口部Ｂの内部に密挿する周壁９ｂの上端に尻口部口縁片ｂに重なる鍔片９ａを突設し、下部に混合刺針７が貫通する密封膜１９を有するもので、弾力性を有するゴムまたは合成樹脂より形成され、鍔片９ａを尻口部口縁片ｂに重ね、両者を後から取付けるカプセル１の格納室４にて挾持し、三者一体の熱溶着により尻口部Ｂを完全密封する。
【００１２】
収納カプセル１は筒形を成し、カプセル１の内面にキャップ２の離脱を防ぐ内向凸条１１を周設すると共に、該凸条１１より上部の内面にカプセル１の上縁まで達する垂直の案内溝１５を数条等間隔に設け、カプセル１の下部に、混合刺針７を備えた支持体３の格納室４を形成するもので、格納室４の上部に支持体３を係止する内向突条１２を周設し、格納室４の下部に容器尻口部Ｂの口縁片ｂに熱融着する栓体鍔片９ａに重なる内向突片１３と、尻口部口縁片ｂの下に嵌挿する輪状底壁１４を周設し、内向突片１３と輪状底壁１４で、尻口部口縁片ｂと栓体鍔片９ａを挟持する。
【００１３】
格納室４は図４の如く、ヒンジ１６を介して開閉可能となる揺動壁４ａを設け、揺動壁４ａを解放してカプセル１の内部に混合刺針７の支持体３を嵌挿し得るようにするもので、カプセル１の略半円弧に設けられ、揺動壁４ａの内面上部に内向突条１２を、内面下部に内向突片１３と輪状底壁１４を連続的に形成し、揺動壁４ａを解放して格納室４に支持体３を嵌挿した後、揺動壁４ａを閉鎖固着するものである。
【００１４】
可動キャップ２は収納カプセル１内に嵌挿する胴部２１の上部外周に、カプセル１の上縁に係止し、案内溝１５に沿って嵌挿する縦突条２５を数条垂直に、しかも等間隔に突設し、胴部２１の下端にカプセル１の内向凸条１１下部に係止する外向凸条２２を突設している。
可動キャップ２の内部に薬剤容器Ｄを下向きに嵌挿し、使用するまで縦突条２５を図１の如くキャップ２の案内溝１５と食違いにし、カプセル１の上縁に係止しておき、使用する際、キャップ２を回し、縦突条２５を案内溝１５に合わせ、図６の如く降下する。
【００１５】
可動キャップ２は降下した状態に保持する必要から、キャップ天板２３の外周に環状係止爪２７を設け、カプセル１の上縁に上記係止爪２７に係止する環状鈎爪１７を形成している。
また、輸液容器を吊り下げる必要から、キャップ天板２３に図５の如く吊り手２８を設ける。
【００１６】
支持体３は周壁３０の内周下部に支持壁３１を設け、該支持壁３１の下部に気密片３３を垂下し、周壁３０の外面にカプセル１の内向突条１２に嵌合係止する環状凹溝３２を設け、支持壁３１の中心部に混合刺針７を不離一体に貫通固着するもので、気密片３３は支持体３の傾斜を防ぎ、安定した降下を可能にし、且つ支持体３の下降により栓体９に内接し、シールの役目も果たす。
【００１７】
混合刺針７は筒体の上下端部に、鋭角の先細部を有するもので、容器尻口部Ｂの栓体９と薬剤容器Ｄのシール８より硬質の合成樹脂にて形成され、可動キャップ２の押し下げにより、先ず薬剤容器Ｄのシール８に貫通し、更にキャップ２の押し下げによりカプセル１と支持体３の係止が解除され、支持体３が降下して混合刺針７の下部が容器本体Ａの栓体９に貫通する。
【００１８】
本発明の輸液容器は上記構造であるから、予め尻口部Ｂを栓体９で密封した液体収納容器本体Ａと、口部ｄをシール８で密封した薬剤収納薬剤容器Ｄを従来通りに製造する一方、収納カプセル１と可動キャップ２、及び混合刺針７を備えた支持体３を夫々形成し、キャップ２内に薬剤容器Ｄを下向きに嵌挿しておく。
【００１９】
先ず収納カプセル１の格納室４に設けた揺動壁４ａを解放し、格納室４の内部に支持体３を嵌挿した後、該格納室４の輪状底壁１４を尻口部口縁片ｂの下に、内向突片１３を尻口部口縁片ｂに重なる栓体鍔片９ａの上に嵌挿し、解放していた揺動壁４ａを閉鎖し、その揺動壁４ａを溶着して格納室４を一体化すると共に、輪状底壁１４と尻口部口縁片ｂ、及び栓体鍔片９ａを熱溶着して一体化し、内向突片１３と輪状底壁１４で、尻口部口縁片ｂと栓体鍔片９ａを挟持する一方、格納室４の内向突条１２で支持体３を係止する。
【００２０】
可動キャップ２内に薬剤容器Ｄを下向きに保持し、該キャップ２の縦突条２５がカプセル１の上縁に係止するよう、収納カプセル１内に嵌挿しておく。
使用する際、可動キャップ２の縦突条２５をカプセル１の案内溝１５に合わせ、キャップ２を案内溝１５に沿って押し下げると、キャップ２と共に薬剤容器Ｄが降下し、その口部ｄを塞ぐシール８に先ず混合刺針７が貫通する。
この際、混合刺針７の支持体３は格納室４の内向突条１２に係止している。
【００２１】
更にキャップ２を押し下げると、格納室４の内向突条１２に係止していた支持体３は、係止に耐えられなくなって離脱し、図７の如く降下するため、混合刺針７が栓体９の密封膜１９を貫通する。
混合刺針７が容器本体Ａと薬剤容器Ｄの両方に貫通することにより、容器本体Ａの液体に薬剤容器Ｄの薬剤が投下され、混合溶解される。
【００２２】
【発明の効果】
以上説明したように、この発明の輸液容器によれば、使用する時には、可動キャップを回す極簡単な操作でロック状態を解除してから、それを単に押し下げるだけで、最初に薬剤容器のシールに混合刺針が貫通し、次いで容器本体の栓体が貫通される。しかも混合刺針の支持体は収納カプセルの格納室に嵌挿した状態にあり、また薬剤容器はキャップに嵌挿した状態にあるため、その手順動作が支障なく安定して行われるという優れた効果がある。
【００２３】
容器本体の尻口部に収納カプセルが連結され、そのカプセル内に可動キャップを、該キャップ内に薬剤容器を嵌挿し、且つカプセルの格納室内に支持体を嵌挿係止するものであるから、薬剤容器のシールと容器尻口部の栓体は、外界から遮断された状態で混合刺針により貫通される。また、収納カプセルの格納室に開閉可能の揺動壁を備え、格納室の内面に内向突条を、支持体の外周面に内向突条と係止する環状凹溝を周設するものであるから、簡単な構造で支持体を嵌挿係止し得る。
【図面の簡単な説明】
【図１】本発明による輸液容器の使用前における一部切欠正面図である。
【図２】輸液容器を分解して要部構造を示す一部切欠正面図である。
【図３】栓体と容器本体尻口部の関係を示す斜視図である。
【図４】収納カプセルの格納室に対する支持体の嵌挿例を示す分離斜視図である。
【図５】可動キャップと薬剤容器の関係を示す分離斜視図である。
【図６】混合刺針による薬剤容器のシール貫通例を示す一部切欠正面図である。
【図７】混合刺針による容器本体の栓体貫通例を示す一部切欠正面図である。
【図８】従来輸液容器の一部切欠正面図である。
【符号の説明】
１，５１  収納カプセル
２，６１  キャップ
３，５４  支持体
４  格納室、４ａ  揺動壁
７，５７  混合刺針
８  シール
９，５９  栓体、１９  密封膜
１１  内向凸条、１２  内向突条、１３  内向突片、１４  輪状底壁、１５  案内溝
２１  胴部、２２  外向凸条、２５  縦突条、２８  吊り手
３０  周壁、３１  支持壁、３２  環状凹溝、３３  気密片
Ａ  容器本体、Ｂ  尻口部、ｂ  口縁片、Ｃ  接続口
Ｄ  薬剤容器、ｄ  口部
【図１】
0003577105.tif 000002
【図２】
0003577105.tif 000003
【図３】
0003577105.tif 000004
【図４】
0003577105.tif 000005
【図５】
0003577105.tif 000006
【図６】
0003577105.tif 000007
【図７】
0003577105.tif 000008
【図８】
0003577105.tif 000009